(57)【要約】      （修正有）【課題】携帯電話やスマートフォンなどの情報端末の操作性を損なわず、かつ、これら端末の持ち運びに適したケースを提供する。【解決手段】本体部材４を構成する持手部６、保持部８が何れも柔軟性のある素材（布地、ビニール素材など）で構成され、収納ケースの持手部６を保持するだけで本体部材４を変形させることができる。このため、変形により生じた保持部８の張力によって、スマートフォン１０を強く保持することができ、開口９から差し込んだスマートフォン１０が収納ケースから落脱するのを有効に防止できる。【選択図】図１
2013147260.tif 000002
【特許請求の範囲】
【請求項１】
物品を収納するための収納具であって、
持ち手となる持手部と、当該持手部との間に収納した前記物品を保持するための保持部と、を有する本体部材を備え、
前記持手部が変形することにより、前記保持部によって前記物品が前記持手部の方向に押圧されること、
を特徴とする収納具。
【請求項２】
物品を収納するための収納具であって、
前記取り付け具を備えた取付部材、
前記取付部材に連結される本体部材であって、持ち手となる持手部と、当該持手部との間に収納した前記物品を保持するための保持部と、を有する本体部材、
を備え、
前記持手部が変形することにより、前記保持部によって前記物品が前記持手部の方向に押圧されること、
を特徴とする収納具。
【請求項３】
請求項１または請求項２の収納具において、
前記本体部材の持手部が、柔軟性のある素材で構成されていること、
を特徴とする収納具。
【請求項４】
請求項２または請求項３の収納具において、
前記取付部材が設けられた位置と同じ側に、前記持手部および保持部の間に形成される開口が設けられたこと、
を特徴とする収納具。
【請求項５】
請求項２〜４のいずれかの収納具において、
前記取付部材が、伸長可能に構成されたこと、
を特徴とする収納具。
【請求項６】
請求項２〜５のいずれかの収納具の使用方法であって、
前記物品が、通話機能を有する情報端末であり、
前記情報端末による通話前においては、前記本体部材が前記取付部材より下方にぶら下がっており、  
前記情報端末による通話前においては、前記本体部材が通話前とは上下が逆の方向を向き、かつ、前記取付部材よりも上方に位置すること、
を特徴とする使用方法。
【請求項７】
請求項２〜請求項６のいずれかの収納具が取り付けられた鞄。
【発明の詳細な説明】
【技術分野】
【０００１】
この発明は、携帯電話などを収納するための収納具に関する技術であり、特に、携帯電話などの持ち運びに適した収納具に関する。
【背景技術】
【０００２】
従来から、携帯電話やスマートフォンなどの端末を収納して持ち運ぶための収納ケースが存在した（特許文献１）。特許文献１に記載の収納ケースは、ストラップ１５および袋体１０を備えており、袋体１０に携帯電話を収容して開口部１１をクリップ２０で密封する防水構造を採用している（特許文献１の図１）。
【先行技術文献】
【特許文献】
【０００３】
【特許文献１】特開２００１−２４００７７号公報
【発明の概要】
【発明が解決しようとする課題】
【０００４】
しかしながら、特許文献１の収納ケースは、携帯電話をケースから出し入れするのが面倒であり、例えば、カメラ撮影時や通話時などには端末をケースから取り出して使用する必要があるという問題があった。さらに、スマートフォンの場合、本体にストラップが取り付けられない構造のものが多く、本体の落下を防止するケースが必要であった。
【０００５】
本発明は、携帯電話やスマートフォンなどの情報端末の操作性を損なわず、かつ、これら端末の持ち運びに適したケースの提供を目的とする。
【課題を解決するための手段】
【０００６】
（１）この発明の収納具は、
物品を収納するための収納具であって、
持ち手となる持手部と、当該持手部との間に収納した前記物品を保持するための保持部と、を有する本体部材を備え、
前記持手部が変形することにより、前記保持部によって前記物品が前記持手部の方向に押圧されること、
を特徴とする。
【０００７】
これにより、携帯電話などの物品を収納した状態で安全に使用することが可能な、汎用的な収納ケースを提供することができる。
【０００８】
（２）この発明の収納具は、
物品を収納するための収納具であって、
前記取り付け具を備えた取付部材、
前記取付部材に連結される本体部材であって、持ち手となる持手部と、当該持手部との間に収納した前記物品を保持するための保持部と、を有する本体部材、
を備え、
前記持手部が変形することにより、前記保持部によって前記物品が前記持手部の方向に押圧されること、
を特徴とする。
【０００９】
これにより、携帯電話などの物品を収納した状態で安全に持ち運ぶことが可能な、汎用的な収納ケースを提供することができる。
【００１０】
（３）この発明の収納具は、
前記本体部材の持手部が、柔軟性のある素材で構成されていること、
を特徴とする。
【００１１】
これにより、収納具を持ったときに、保持部で物品を強く保持し、収納ケースからの落脱を防止することができる。
【００１２】
（４）この発明の収納具は、
前記取付部材が設けられた位置と同じ側に、前記持手部および保持部の間に形成される開口が設けられたこと、
を特徴とする。
【００１３】
これにより、収納ケースを鞄にぶら下げた状態で、物品を保持部の底部で係止させることができる。
【００１４】
（５）この発明の収納具は、
前記取付部材が、伸長可能に構成されたこと、
を特徴とする。
【００１５】
これにより、物品を収納した収納ケースを引き出すことができる。例えば、通話前に、携帯電話を収納した収納ケースを引き出して携帯電話で通話することができる。
【００１６】
（６）この発明の収納具の使用方法は、
前記物品が、通話機能を有する情報端末であり、
前記情報端末による通話前においては、前記本体部材が前記取付部材より下方にぶら下がっており、  
前記情報端末による通話前においては、前記本体部材が通話前とは上下が逆の方向を向き、かつ、前記取付部材よりも上方に位置すること、
を特徴とする。
【００１７】
これにより、通話前に、携帯電話を収納した収納ケースをぶら下げた状態から、収納ケースを引き出して携帯電話で円滑に通話することができる。
【図面の簡単な説明】
【００１８】
【図１】本発明の収納ケース１００（スマートフォン１０用）の構造を示す図である。
【図２】本発明の収納ケース１００（スマートフォン１０用）のα断面図である。
【図３】本発明の収納ケース１００を鞄に取り付けた状態を示す図（図３Ａ）、その状態で電話の着信があった場合の使用例を示す図（図３Ｂ）である。
【図４】本発明の収納ケース１００（スマートフォン１０用）のβ断面矢視図である。
【図５】本発明の収納ケース１００（ストレート型の携帯電話２０用）の構造を示す図である。
【図６】本発明の収納ケース１００（ストレート型の携帯電話２０用）の使用法を示す図である。
【図７】他の実施形態の収納ケース１００’の構造を示す図である。
【図８】他の実施形態の収納ケース１００’のγ矢視図である。
【図９】２つ折り型の携帯電話３０に収納ケース１００を使用した例を示す図である。
【図１０】保持部８に設けられる孔の具体例を示す図である。
【発明を実施するための形態】
【００１９】
１．第１の実施形態
図１は、本発明の収納具である収納ケース１００の構造を示す図である。この実施形態では、図１に示す収納ケース１００を、スマートフォン１０の持ち運びに使用する場合を例に説明する。なお、この実施形態で用いる図１に示すスマートフォン１０には、ストラップを取り付けるための孔が設けられていないため、持ち運びの際に収納ケース１００によって落下を防止する必要性が特に高い。
【００２０】
図１に示す収納ケース１００は、取付部材２と、本体部材４とを備えている。取付部材２は、図１に示すように、取り付け具である輪状のストラップ２ａを備えており、このストラップ２ａは伸長可能な連結部２ｂを介して本体部材４の内部に設けられた伸長調節部２ｃ（図２）に接続されている。また、図１に示すように、輪状のストラップ２ａは、鞄などへの取り付けの際に、連結部２ｂから取り外すことが可能な構造を採用している。
【００２１】
図２は、図１に示す収納ケース１００（スマートフォン用）のα断面図である。連結部２ｂは、図２に示す伸長調節部２ｃの内部において、回転可能に設けられた滑車Ｐに巻き付けられており、ストラップ２ａを引き出することにより滑車Ｐが回転して伸長可能な構造となっている。さらに、この回転軸Ｐは伸長調節部２ｃに対して固定された渦巻きバネＳに連結されている。ここで、伸長調節部２ｃ内の渦巻きバネＳのばね定数は、少なくともスマートフォン１０と本体部材４とを合わせた重さよりも大きな力が掛からなければ滑車Ｐが回転しないように設計される。
【００２２】
図１に示す本体部材４は、持ち手となる持手部６と、持手部６との間に収納したスマートフォン１０を保持するための保持部８とを備えている。持手部６の外皮素材としては布地が用いられており、その内部には綿状素材（例えば、ポリエステル綿）が詰め込まれている。
【００２３】
保持部８の両端は持手部６に固着されており、図１に示すように、保持部８の横幅Ｗ１は、スマートフォン１０の横幅Ｗ２よりも広くなるように設計される。図１に示すように、保持部８の底部も持手部６に固着されているが、上方はスマートフォン１０を収納するために固着されていない。これにより、開口９が形成される。なお、保持部８は、透明のビニール素材で構成されており、矩形に切り欠いて３辺を持手部６の外皮素材に縫い合わせて成形される。
【００２４】
開口９が設けられる位置は、図１に示すように、本体部材４において、取付部材２が設けられた位置と同じ側に存在する。このため、図３Ａに示すように、ストラップ２ａを鞄２００の持ち手に取り付け、収納ケース１００を鞄２００にぶら下げた状態では、スマートフォン１０が保持部８の底部で係止するので収納ケース１００から落脱しない。
【００２５】
また、保持部８の底部付近（開口９と反対側）には、図１に示すように、通話用孔７が３つ設けられている。このため、スマートフォン１０を持手部６と保持部８との間に挿入した際に、保持部８がスマートフォン１０の受話孔１１を覆わないようにすることができる。また、図１に示すように、スマートフォン１０が部分的に開口９からはみ出しているため、スマートフォン１０の送話孔１２は、保持部８によって覆われない。送話孔１２が保持部８によって覆われない程度に、保持部８の縦幅Ｗ３が、スマートフォン１０の縦幅Ｗ４よりも長くなるように設計されているからである。
【００２６】
以上のような構成により、収納ケース１００が鞄２００にぶら下がっている状態（図３Ａ）で、スマートフォン１０に電話の着信があった場合に、ユーザー３００が、図３Ｂに示すように、収納ケース１００の持手部６を持って本体部材６を引き出し、受話操作をしてそのまま通話することができる。なお、スマートフォン１０を収納ケース１００に収納した状態でも、保持部８の上から、タッチパネル１３を操作することが可能である。
【００２７】
また、本体部材４を構成する持手部６および保持部８が柔軟性のある素材（布地、ビニール素材など）で構成されているので、収納ケース１００の持手部６を保持するだけで本体部材４を、図４Ａに示す状態から図４Ｂに示す状態に容易に変形させることができる。
【００２８】
このため、図４Ｂに示す変形により生じた保持部８の張力Ｔによって、スマートフォン１０を持手部６の方向に押圧して強く保持することが可能となり、開口９から差し込んだスマートフォン１０が収納ケース１００から落脱するのを有効に防止できる。なお、図４Ｂに示すように、保持部８のうち、スマートフォン１０と接する部分が変形することで、スマートフォン１０が反対方向からも強く押圧されている。
【００２９】
また、保持部８の張力Ｔにより、異なるサイズの情報端末であっても、収納ケース１００から落脱しないように押圧して強く保持することができるため汎用的な収納ケースを提供できるというメリットもある。
【００３０】
２．第２の実施形態
上記実施形態では、収納ケース１００のストラップ２ａを鞄２００に取り付けることとしたが（図３Ａ）、収納ケース１００に収納する物にストラップ２ａを取り付けるようにしてもよい。
【００３１】
図５は、本発明の収納ケース１００をストレート型の携帯電話２０に用いた例を示す図である。すなわち、図５に示す収納ケース１００は、図１に示すものと構成は同じであるが、取付部材２が、鞄２００に取り付けられる（図３Ａ）のではなく、ストレート型の携帯電話２０に取り付けられている点で異なっている。携帯電話２０には、スマートフォン１０と同様、通話用の２１および２２が設けられているが、スマートフォン１０より横幅が小さい点で異なっている。しかしながら、保持部８が、柔軟性のある素材で構成されているので、収納ケース１００に保持部８の張力で保持することができる。
【００３２】
図５に示すように、持手部６と保持部８との間に収納した携帯電話２０には、取付手段２を構成する輪状のストラップ２ａが取り付けられている。ユーザー３００は、携帯電話２０に電話の着信があった場合、持手部６を持って受話操作をし、携帯電話２０の受話器に耳を合わせて通話することができる。
【００３３】
さらに、ユーザー３００は、図６に示すように、肩と耳の間に収納ケース１００を挟んで、受話操作をして通話することもできる。このとき、持手部６の内部には綿状素材（例えば、ポリエステル綿）が詰め込まれているため、クッション効果によって、手ぶらで長時間通話しても疲れないという効果が得られる。また、肩と耳の間に収納ケース１００を挟んでいるため、開口９が下を向いた状態で通話した場合でも、肩と耳の間で押さえる力によって携帯電話２０の落脱を防止することができる。
【００３４】
上記実施形態では、開口９を取付部材２側に１つ設けることとしたが、これに限定されるものではなく、図７に示すように、収納ケース１００’の下方（取付部材２と反対側）にも開口９を設けてもよい。これにより、携帯電話２０を収納ケース１００’の上方からでも、下方からでも挿入することができる。また、携帯電話２０を収納ケース１００’の保持部８’に対して所望の位置に調節することもできる。なお、携帯電話２０は、保持部８’の張力・摩擦力によって下方に抜け落ちない程度に保持される。
【００３５】
図７に示す収納ケース１００’の保持部８’は、図５に示す収納ケース１００の保持部８よりも縦方向に短くなっており、結果として、保持部８が携帯電話２０の受話孔２１を覆わない構成となっている。また、  図７に示す収納ケース１００’の保持部８’には、図５に示す収納ケース１００の保持部８に設けられている通話用孔７が存在しない。
【００３６】
さらに、図７に示す収納ケース１００’の背面には、首掛け用のストラップ３が別途設けられている。図８は、図７に示す収納ケース１００’のγ矢視図である。図８に示すファスナー１４を開閉することで、ストラップ３を収納ケース１００’から出し入れ可能な構造としている。これにより、ストラップ３を首に掛けた状態で、収納ケース１００’の携帯電話２０を操作することができ、使用しないときは首からぶら下げられる点で便利である。
【００３７】
なお、上記実施形態では、首掛け用のストラップ３を収納ケース１００’の内部に収納することとしたが、これに限定されるものではなく、例えば、携帯電話２０用の充電器、無線ＬＡＮ（Wi-Fi(商標)）端末、イヤホン、小銭等を収納するようにしてもよい。
【００３８】
３．その他の実施形態
なお、上記実施形態では、スマートフォン１０およびストレート型の携帯電話２０に収納ケース１００を使用する例を示したが（図１、図５など）、これに限定されるものではなく、スマートフォン１０、携帯電話２０といった情報端末の他にも、例えば、無線通信方式の定期券などに収納ケース１００を用いることもできる。
【００３９】
図９は、２つ折りの携帯電話３０に収納ケース１００を使用した例を示す図である。図９に示す収納ケース１００は、図１に示すものと構成は同じである。しかしながら、携帯電話３０の２つ折りの状態で持手部６と保持部８との間に収納されている点だけが図１と相違する。なお、図９のストラップ２ａは、図３Ａに示すように鞄２００に取り付けてもよく、図５に示すように携帯電話２０に取り付けてもよい。
【００４０】
なお、上記実施形態では、取付部材２を設けたが、これに限定されるものではなく、取付部材２を設けないようにしてもよい。
【００４１】
なお、上記実施形態では、取り付け具２ａとして、輪状のストラップを用いたが、これに限定されるものではない。例えば、クリップ、粘着素材などを取り付け具として用いることもできる。
【００４２】
なお、上記実施形態では、取付部材２が伸長する構造を採用したが、これに限定されるものではなく、取付部材２が伸長しない構造を採用してもよい。
【００４３】
なお、上記実施形態では、本体部材６の外皮素材として布地を用い、内部に綿状素材（ポリエステル綿）を詰め込むこととしたが、これに限定されるものではない。例えば、ビニール素材などを外皮素材として用い、スポンジなどを内部に詰め込んでもよい。
【００４４】
なお、上記実施形態では、保持部８の素材としてビニール素材を用いたが、これに限定されるものではない。例えば、ゴム、プラスチックフィルムなどを保持部の素材として用いることもできる。
【００４５】
なお、上記実施形態では、本体部材４の持手部６および保持部８を、柔軟性のある素材で構成することとしたが、持手部６が変形することにより、保持部８が、持手部６の方向に物品を押圧して強く保持することができれば、他の素材で構成してもよい。例えば、本体部材４の持手部６を柔軟性のある素材で構成し、本体部材４の保持部８を容易に変形しない素材（厚みのあるプラスチック材など）で成形してもよい。
【００４６】
なお、上記実施形態では、保持部８の底部に３つの丸孔（通話用）を設けることとしたが、これに限定されるものではない。例えば、図１０Ａに示すように、保持部８の底部に１つの長孔７ａを設けたり、図１０Ｂに示すように、保持部８の底部にわたって所定長の長孔７ｂを設けるようにしてもよい。図１０Ｃに示すように、保持部８の全体に多数の孔７を設けるようにしてもよい。また、保持部を全体的または部分的に網状にするなど、通話に支障がなければ、保持部８に孔を空けないようにしてもよい。
【００４７】
なお、上記実施形態では、開口９を取付部材２側または下方に設けることとしたが、これに限定されるものではなく、例えば、開口９を開閉式とし、物を入れた後に閉じるような構成としてもよい。
【００４８】
なお、上記実施形態では、保持部８の各辺の全長にわたって持手部６に固着することとしたが、これに限定されるものではなく、部分的に持手部６に固着してもよい。
【００４９】
なお、上記実施形態では、保持部８の縦幅Ｗ３を、スマートフォン１０の縦幅Ｗ４よりも長くなるように設計したが（図１）、これに限定されるものではない。例えば、保持部８の縦幅Ｗ３を、スマートフォン１０の縦幅Ｗ４と同じ長さ、またはスマートフォン１０の縦幅Ｗ４よりも短くなるように設計してもよい。
【図１】
2013147260.tif 000003
【図２】
2013147260.tif 000004
【図３】
2013147260.tif 000005
【図４】
2013147260.tif 000006
【図５】
2013147260.tif 000007
【図６】
2013147260.tif 000008
【図７】
2013147260.tif 000009
【図８】
2013147260.tif 000010
【図９】
2013147260.tif 000011
【図１０】
2013147260.tif 000012